(57)【要約】【課題】動画撮影時に熱くなる記録媒体から、直接熱を放熱させることで、ユーザーが取り出す際の不快感を軽減すること。【解決手段】撮像装置の内部に収容される記録媒体と、前記記録媒体の熱を伝達する伝熱部材を備え、前記伝熱部材の端部は撮像装置の熱容量の大きい部材に連結され、前記記録媒体が高温時に、前記記録媒体と前記伝熱部材が接触することを特徴とする構成とする。【選択図】図１
2019029779.tif 000002
【特許請求の範囲】
【請求項１】
撮像装置（１００）の内部に収容される記録媒体（１１４）と、
前記記録媒体（１１４）の熱を伝達する伝熱部材（１０９）を備え、
前記伝熱部材（１０９）の端部は撮像装置（１００）の熱容量の大きい部材に連結され、
前記記録媒体（１０９）が高温時に、
前記記録媒体（１０９）と前記伝熱部材（１０９）が接触することを特徴とする撮像装置。
【請求項２】
前記伝熱部材（１０９）は形状記憶合金であることを特徴とする請求項１に記載の撮像装置。
【請求項３】
前記伝熱部材（１０９）は線膨張係数が異なる金属を組み合わせたバイメタルであることを特徴とする請求項１に記載の撮像装置。
【発明の詳細な説明】
【技術分野】
【０００１】
本発明は、デジタル一眼レフカメラなどの撮像装置に関し、特に内部で発生した熱を熱容量の大きい箇所に移動させる機構を持つ撮像装置に関する。
【背景技術】
【０００２】
近年、デジタル一眼レフカメラなどの撮像装置において、様々な機能の追加や撮影処理能力の向上によって、撮像装置内部で消費される電力が増加している。これにより、撮影したデータを保存する記録媒体や、撮像装置に搭載される電子機器等が特に熱くなる傾向がある。しかし一方では、筐体の小型化が進み、撮像装置の外装部が外気と接触する面積は減少傾向にある。このため、撮像装置内部で発生した熱を効率的に移動、放出し、記録媒体や電子機器等の温度上昇を防ぐための様々な提案がなされている。
【０００３】
特許文献１には、熱容量の大きい金属性の三脚などの外部装置が取り付けられた時に、バイメタルを用いて外部装置に電子機器の熱を逃がすことが考案されている。
【先行技術文献】
【特許文献】
【０００４】
【特許文献１】特開２０１５−１２５３０９号公報
【発明の概要】
【発明が解決しようとする課題】
【０００５】
しかしながら、上述の特許文献１に開示された従来技術では、三脚などの外部装置が取り付けられた時に、電子機器の熱を逃がすように限定される。
【０００６】
今日、動画撮影後など、記録媒体が特に熱を持つ問題があり、この問題に対しては、上述の特許に記載される技術は記録媒体の温度を効果的に下げる手段とは言えない。記録媒体が高温の場合は、ユーザーは取り出す際、不快感が軽減される温度になるまで待つ必要があり、ユーザーにとって煩わしい原因となる。
【０００７】
そこで、本発明は、特に熱くなる記録媒体に対して、バイメタルを用いて発生した熱を撮像装置内部の熱容量の大きい箇所に移動させることを目的とする。
【課題を解決するための手段】
【０００８】
上記の目的を達成するために、本発明に係る撮像装置は、
撮像装置の内部に収容される記録媒体と、
前記記録媒体の熱を伝達する伝熱部材を備え、
前記伝熱部材の端部は撮像装置の熱容量の大きい部材に連結され、
前記記録媒体が高温時に、
前記記録媒体と前記伝熱部材が接触することを特徴とする。
【発明の効果】
【０００９】
本発明によれば、動画撮影時に熱くなる記録媒体を、伝熱部材を用いて熱を逃がすことによって、ユーザーが記録媒体を取り出す際の不快感を軽減させ、ユーザビリティを確保した撮像装置を提供することができる。
【図面の簡単な説明】
【００１０】
【図１】記録媒体収容蓋閉状態での撮像装置斜視図
【図２】撮像装置本体を背面側から見た分解斜視図
【図３】記録媒体ユニット
【図４】記録媒体
【図５】記録媒体裏面図
【図６】図３におけるＡ−Ａ断面図
【図７】図３におけるＡ−Ａ断面図
【図８】図３におけるＡ−Ａ断面図
【発明を実施するための形態】
【００１１】
以下に、本発明の好ましい実施の形態を、添付の図面に基づいて詳細に説明する。
【００１２】
（撮像装置）
図１は、本発明の実施形態にかかわる撮像装置を背面から見た斜視図である。
【００１３】
図１において、１００は撮像装置を、１０１は記録媒体収容蓋を示しており、記録媒体収容蓋１０１は回動可能に設けられている。
【００１４】
図２は撮像装置１００の内部構成を背面側から見た分解斜視図である。
【００１５】
図２において１０２は撮像装置本体であり主に金属シャシー１０３と本体樹脂１０４で構成されている。撮像装置本体１０２には記録媒体ユニット１０５、回路基板１０６が配置される。
【００１６】
図３は記録媒体ユニット１０３の斜視図である。
【００１７】
図３において、記録媒体ユニット１０５は記録媒体回路基板１０７、記録媒体収容ケース１０８、記録媒体収容蓋開閉検知スイッチ１０９が配置される。記録媒体収容ケース１０８には伝熱部材１１０、伝熱部材回転機構１１１が配置され、伝熱部材回転機構１１１には金属板１１２がつながっており、金属板１１２は撮像装置１００使用時に、例えば熱容量の大きい金属シャシー１０３に接続されている。
【００１８】
伝熱部材回転機構１１１は不図示のモーター等が内蔵されており、記録媒体収容蓋検知スイッチ１０９による開閉検知に連動して、伝熱部材１１０を記録媒体に対してはなれる方向に回転させる。そして、記録媒体回路基板１０７と記録媒体収容ケース１０８の間に記録媒体１１３がユーザーによって内部に構成される。伝熱部材１１０は形状記憶合金製の弾性部材であり、一般的にＮｉ，Ｔｉ等を含む形状記憶合金は結晶組成が変化する変態温度の前後で、その弾性率が数倍程度変化する。そして伝熱部材１１０は線膨張係数の異なる二つの金属を貼り合わせたバイメタルでもある。
【００１９】
近年、撮像装置は、様々な機能の追加や撮影処理能力の向上によって撮像装置内部で消費される電力が増加している。例えば、撮影画像データを記録媒体に書き込む際、書き込み速度（処理速度）も増加しており、記録媒体のメモリーが発熱する。これにより、記録媒体が特に熱くなる傾向があり、ユーザーは動画撮影後や静止画連射後、不快感が軽減される温度になるまで、時間を置かなければならない。
【００２０】
記録媒体ユニット１０３が高温時、伝熱部材１１０は発生する熱により所定の温度以上に温められると相変化がおこるように変態温度を調整されている。このため、前記所定の温度を超えた場合、伝熱部材１１０は弾性変化を起こし伝熱部材先端部が記録媒体１１３に接触する。
【００２１】
図４は記録媒体１１３の正面図、図５は記録媒体１１３の裏面図であり、図５においては記録媒体電極部１１４を示している。
【００２２】
記録媒体１１３は記録媒体電極部１１４が記録媒体回路基板１０７に電気的に接続された記録媒体収容ケース１０８に設けられた不図示の接触片と接触することでデータ通信を可能としている。
【００２３】
図６は図３におけるＡ−Ａ線で切断した時の、記録媒体ユニット１０３の断面図である。
【００２４】
図６において記録媒体１１３は高温状態、記録媒体収容蓋１０２は閉じられている状態である。伝熱部材１１０の先端部は記録媒体電極部１１４の裏面に接触しており、記録媒体電極部１１４は、記録媒体収容ケースの接触片の方向に付勢される。このように接触させることで、記録媒体電極部１１４と記録媒体回路基板１０７の接触を阻害することを回避している。これにより、記録媒体１１３の熱は伝熱部材１１０、伝熱部材回転機構１１１、金属板１１２、介して撮像装置本体１０２の金属シャシー１０３に移動される。この時、記録媒体１１３の温度は、ユーザーが撮像装置１００の使用を終えて、記録媒体収容蓋１０１を開け、記録媒体１１３を取り出すために触れても、不快に感じる温度までは上昇しない。
【００２５】
図７は図３におけるＡ−Ａ線で切断した時の、記録媒体ユニット１０３の断面図である。
【００２６】
図７において撮像装置１００は高熱状態であり、伝熱部材１１０が弾性変化しており、記録媒体収容蓋１０１は開状態となっている。記録媒体収容蓋１０１は開状態の時、記録媒体収容蓋検知スイッチ１０９は記録媒体収容蓋１０１を検知せず、伝熱部材回転機構１１１により伝熱部材１１０は記録媒体１１３から離れる方向に回動する。その時、伝熱部材先端部は記録媒体１１３の表面には触れていない。これにより、ユーザーが記録媒体１１３を取り出す際、記録媒体１１３に伝熱部材１１０からの付勢が解除され、スムーズに記録媒体１１３を移動させることが出来る。
【００２７】
図８は図３におけるＡ−Ａ線で切断した時の、記録媒体ユニット１０３の断面図である。図８において撮像装置１００は常温状態であり、伝熱部材１１０が弾性変化していない状態である。伝熱部材１１０は記録媒体１１３に略平行に位置されており、記録媒体１１３への、伝熱部材１１０の先端部からの付勢は解除されている。
【００２８】
上記構成を取ることにより、本発明によれば、動画撮影時等に熱くなる記録媒体をバイ
メタルを用いて熱を逃がすことによって、ユーザーが記録媒体を取り出す際の不快感を軽減させ、ユーザビリティを確保した撮像装置を提供することができる。
【００２９】
以上、本発明の好ましい実施形態について説明したが、本発明はこれらの実施形態に限定されず、その要旨の範囲内で種々の変形及び変更が可能である。
【符号の説明】
【００３０】
１００  撮像装置、１０１  記録媒体収容蓋、１０２  撮像装置本体、
１０３  金属シャシー、１０４  本体樹脂、１０５  記録媒体ユニット、
１０６  回路基板、１０７  記録媒体回路基板、１０８  記録媒体収容ケース、
１０９  記録媒体収容蓋検知スイッチ、１１０  伝熱部材、
１１１  伝熱部材回転機構、１１２  金属板、１１３  記録媒体、
１１４  記録媒体電極部
【図１】
2019029779.tif 000003
【図２】
2019029779.tif 000004
【図３】
2019029779.tif 000005
【図４】
2019029779.tif 000006
【図５】
2019029779.tif 000007
【図６】
2019029779.tif 000008
【図７】
2019029779.tif 000009
【図８】
2019029779.tif 000010